(57)【要約】【課題】  害虫駆除剤を保持した担体に送風機の風を当てることにより害虫駆除剤を揮散させる従来方式よりもより十分に良好に揮散させることができる薬剤拡散ファンを提供する。【解決手段】  多数のブレードを有し、各ブレードの間が開いていて開口部を形成している円形のブレード部と、駆動装着部を有し、ブレード部は害虫駆除剤を保持しており、駆動装着部はモータにより回転されることを特徴とするロータリーファン型薬剤拡散ファン。ブレードがその表面又は内部に害虫駆除剤を保持していること、ブレード部の内周側又は外周側に害虫駆除剤を収容した袋又は容器を設けることが好ましい。【選択図】      図１
2005102700.tif 000002
【特許請求の範囲】
【請求項１】
多数のブレードを有し、各ブレードの間が開いていて開口部を形成している円形のブレード部と、駆動装着部を有し、ブレード部は害虫駆除剤を保持しており、駆動装着部はモータにより回転されることを特徴とするロータリーファン型薬剤拡散ファン。
【請求項２】
前記ブレードがその表面又は内部に害虫駆除剤を保持していることを特徴とする請求項１記載のロータリーファン型薬剤拡散ファン。
【請求項３】
前記ブレード部の内周側又は外周側に害虫駆除剤を収容した袋又は容器を設けたことを特徴とする請求項１記載のロータリーファン型薬剤拡散ファン。
【発明の詳細な説明】
【技術分野】
【０００１】
本発明は、揮散効率が高く、揮散量を多くしうる揮散性薬剤の拡散方法及びそれに用いる薬剤拡散用材に関するものである。
【背景技術】
【０００２】
従来、揮散性薬剤を所定の場所に拡散させるに当っては、通常、揮散性薬剤又はそれを保持した担体を所定の場所に設置し、単に拡散による揮散をしているにとどまるが、それでは時間がかかるので、早く拡散させたい場合には、揮散性薬剤を保持する担体を加熱するか、あるいは送風機により空気を吹き出して、それを揮散性薬剤を保持する担体に当てることにより前記薬剤を強制的に揮散させる方法が知られている。
【発明の開示】
【発明が解決しようとする課題】
【０００３】
担体に保持された薬剤を前記の送風機により強制的に揮散させる場合には、送られた風が揮散性薬剤を保持した担体と十分に接触しないためか、あるいは風が弱いために接触しても風力が小さく、前記担体からの薬剤の揮散化を促進する力が小さいために、十分満足しうる薬剤の拡散が行われなかった。
【０００４】
本発明は、このような送風機による送風により揮散性薬剤を強制的に揮散させる場合よりも、前記薬剤の揮散を十分良好に行いうる方法及びそのための薬剤を担持した薬剤拡散用材を提供することを目的とするものである。
【課題を解決するための手段】
【０００５】
本発明は、揮散性薬剤を保持した薬剤拡散ファンを駆動させると、その揮散が著しく増大することを見出すことによってなされたものであって、下記の手段によって、上記の目的を達成した。
（１）多数のブレードを有し、各ブレードの間が開いていて開口部を形成している円形のブレード部と、駆動装着部を有し、ブレード部は害虫駆除剤を保持しており、駆動装着部はモータにより回転されることを特徴とするロータリーファン型薬剤拡散ファン。
【０００６】
（２）前記ブレードがその表面又は内部に害虫駆除剤を保持していることを特徴とする前記（１）記載のロータリーファン型薬剤拡散ファン。
（３）前記ブレード部の内周側又は外周側に害虫駆除剤を収容した袋又は容器を設けたことを特徴とする前記（１）記載のロータリーファン型薬剤拡散ファン。
本発明において用いる揮散性薬剤としては、従来より害虫駆除剤（殺虫剤、殺ダニ剤）、殺菌剤、忌避剤、芳香剤（香水、ハーブ等）、医薬品（メントール、ユーカリオイル等、気管、カゼ等吸入用薬剤）等の目的で使用されている各種の薬剤を使用できる。代表的な薬剤としては次のものが挙げられる。
【０００７】
（Ｉ）殺虫剤・殺ダニ剤
（１）ピレスロイド系薬剤
・ｄｌ−３−アリル−２−メチル−４−オキソ−２−シクロペンテニル  ｄｌ−シス／トランス−クリサンテマート（一般名アレスリン：商品名ピナミン）
・ｄｌ−３−アリル−２−メチル−４−オキソ−２−シクロペンテニル  ｄ−シス／トランス−クリサンテマート（商品名ピナミンフォルテ：住友化学工業株式会社製、以下「ピナミンフォルテ」という）
【０００８】
・ｄｌ−３−アリル−２−メチル−４−オキソ−２−シクロペンテニル  ｄ−トランス−クリサンテマート（商品名バイオアレスリン：ユクラフ社製）
・ｄ−３−アリル−２−メチル−４−オキソ−２−シクロペンテニル  ｄ−トランス−クリサンテマート（商品名エキスリン：住友化学工業株式会社製）
・（１，３，４，５，６，７−ヘキサヒドロ−１，３−ジオキソ−２−インドリル）メチル  ｄｌ−シス／トランス−クリサンテマート（一般名フタルスリン：商品名ネオピナミン、以下「ネオピナミン」という）
【０００９】
・（１，３，４，５，６，７−ヘキサヒドロ−１，３−ジオキソ−２−インドリル）メチル  ｄ−シス／トランス−クリサンテマート（商品名：ネオピナミンフォルテ：住友化学工業株式会社製）
・（５−ベンジル−３−フリル）メチル  ｄ−シス／トランス−クリサンテマート（一般名レスメトリン、商品名クリスロンフォルテ：住友化学工業株式会社製、以下「クリスロンフォルテ」という）
【００１０】
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社）
・３−フェノキシベンジル−ｄ−シス／トランス−クリサンテマート（一般名フェノトリン：商品名スミスリン：住友化学工業株式会社、以下「スミスリン」という）
・α−シアノ−３−フェノキシベンジル  ２−（４−クロロフェニル）−３−メチルブチレート（一般名フェンバレレート）
【００１１】
・α−シアノ−３−フェノキシベンジル  シス／トランス−２，２，３，３−テトラメチルシクロプロプロパンカルボキシラート（一般名フェンプロパトリン、以下「フェンプロパトリン」という）
・１−エチニル−２−メチル−２−ペンテニル  ｄｌ−シス／トランス−クリサンテマート（一般名エムペンスリン、以下「エムペンスリン」という）
・２，３，４，５，６−ペンタフルオロベンジル−ｄｌ−シス／トランス  ３−（２，２−ジクロロビニル）−２，２−ジメチル−１−シクロプロパンカルボキシラート（一般名フェンフルスリン、以下「フェンフルスリン」という）
【００１２】
・１−エチニル−２−メチル−２−ペンテニル  ｄｌ−シス／トランス−３−（２，２−ジクロロビニル）−２，２−ジメチル−１−シクロプロパンカルボキシラート（以下「Ｍ−１０８Ｃ」という）
・１−エチニル−２−メチル−２−ペンテニル  シス／トランス−２，２，３，３−テトラメチル−１−シクロプロパンカルボキシラート（以下「Ｍ−１０８Ｂ」という）
【００１３】
・（＋）−２−メチル−４−オキソ−３−（２−プロピニル）−２−シクロペンテニル（＋）−シス／トランス−クリサンテマート（商品名エトック：住友化学工業株式会社）
・ｄ−トランス−２，３，５，６−テトラフルオロベンジル−３−（２，２−ジクロロビニル）−２，２−ジメチル−１−シクロプロパンカルボキシラート（一般名ベンフルスリン）
【００１４】
・２，３，５，６−テトラフルオロ−４−メチルベンジル−３−（２−クロロ−３，３，３−トリフルオロ−１−プロペニル）−２，２−ジメチル−１−シクロプロパンカルボキシラート（一般名テフルスリン）
・（±）α−シアノ−３−フェノキシベンジル  （＋）−シス／トランス−クリサンテマート（商品名ゴキラート：住友化学工業株式会社）
【００１５】
（２）有機リン系薬剤
・Ｏ，Ｏ−ジメチル  Ｏ−（２，２−ジクロロ）ビニルホスフェート（以下、「ＤＤＶＰ」という）
・Ｏ，Ｏ−ジメチル  Ｏ−（３−メチル−４−ニトロフェニル）チオノフォスフェート・Ｏ，Ｏ−ジエチル  Ｏ−２−イソプロピル−４−メチル−ピリミジル−（６）−チオフォスフェート
・Ｏ，Ｏ−ジメチル  Ｓ−（１，２−ジカルボエトキシエチル）−ジチオフォスフェート
【００１６】
（３）カーバメート系薬剤
・Ｏ−イソプロポキシフェニル  メチルカーバメート（以下「バイゴン」という）
【００１７】
（４）その他の薬剤
・ベンジルベンゾエート
・イソボニールチオシアノアセテート（以下「ＩＢＴＡ」という）
・デヒドロ酢酸
・ピペロニルブトキシド（以下「Ｐ．Ｂ．」という）
・パラオキシ安息香酸
・サリチル酸フェニル
・Ｓ−４２１
・サイネピリン２２２（登録商標）（Ｎ−（２−エチルヘキシル）−ビシクロ〔２，２，１〕−ヘプタ−５−エン−２，３−ジカルボキシイミド）
・Ｎ，Ｎ−ジエチル−ｍ−トルアミド（以下「ディート」という）
・５−メトキシ−３−（０−メトキシフェニル）−１，３，４−オキサジアゾール−２（３Ｈ）−オン（一般名メトキサジアゾン、商品名エレミック：住友化学工業株式会社製）
【００１８】
（II）殺菌剤
・Ｓ−ｎ−ブチル−Ｓ′−ｐ−ターシャリーブチルベンジル  Ｎ−３−ピリジルイミドジチオカーボネート（商品名デンマート：住友化学工業株式会社製、以下「デンマート」という）
・Ｎ−（３′，５′−ジクロロフェニル）−１，２−ジメチル−シクロプロパン−ジカルボキシイミド（商品名スミレックス：住友化学工業株式会社製、以下「スミレックス」という）
・ペリルアルデヒド
・アリルイソチアシアネート
・パラクロロメタキシレノール（以下「ＰＣＭＸ」という）
【００１９】
（III)忌避剤
・Ｎ，Ｎ−ジエチル  ｍ−トルアミド（以下「ディート」という）
・ジ−ｎ−ブチル  サクシネート（以下「ＤＮＢＳ」という）
・ジ−ｎ−プロピル  イソシンコメロネート（以下「ＤＰＩＣ」という）
なお、上記した薬剤の分類は、その主たる薬効に基づくものであって、殺虫剤が殺ダニ剤として使用されるものもあるし、また後記する効力増強剤の成分が殺ダニ剤として使用されるものもあるから、これらの薬剤は使用目的により変るため、上の分類は便宜上のものである。
【００２０】
本発明において用いられる上記殺虫剤等には通常用いられている酸化防止剤、効力増強剤、揮散率向上剤、消臭剤、香料等の各種添加剤を任意に添加することができる。効力増強剤としては、ピペロニルブトキサイド、Ｎ−プロピルイゾーム、サイネピリン２２２（登録商標）、サイネピリン５００、リーセン３８４、ＩＢＴＡ、Ｓ−４２１等が、揮散率向上剤としてはフェネチルイソチオシアネート、ハイミックス酸ジメチル等が、消臭剤としてはラウリル酸メタクリレート（ＬＭＡ）等が、香料としてはシトラール、シトロネラール、アネトール等が夫々挙げられる。
【発明の効果】
【００２１】
本発明は、揮散性薬剤を拡散用材に直接及び／又は間接的に保持させて駆動させることにより、揮散性薬剤の拡散量を著しく大きくすることができる。このため、より広い気中に効率よく使用することができる。また、拡散効率がよいので揮散性薬剤を担持した担体に送風機の風を当てるという従来の方法に比して、より小型の送風機を用いて行うことができ、例えば通常の居室に対しては乾電池を電源とするモーターで駆動する送風機を用いても足りるものである。
【００２２】
さらに、その揮散性薬剤の拡散量をより大きくしたいときには、加熱手段によって駆動手段へ導入される空気を予熱し、及び／又は拡散用材そのものを加熱することによって行うことができる。そのさいの揮散量は、従来の担体を単に加熱している場合よりもかなり大きい。
また、そこで駆動させる拡散用材、例えばファンの表面に揮散性薬剤を含有する基材、又は揮散性薬剤封入体を支持させるときには、これら基材等を交換、あるいはそれを薬剤に補給すれば引き続き使用ができるし、ファンそのものをあるいはその羽根など揮散性薬剤を含有する材料、例えば合成樹脂で構成するときには、ファンそのもの又はその一部などを交換すれば引き続き使用することができるので、実用性が高い。
【発明を実施するための最良の形態】
【００２３】
そして、害虫駆除剤を用いて害虫を駆除しうる場所は何ら制限を受けないが、好ましくは一定の空間として区切られた場所が好ましい。例えば、家屋、ビニルハウス、浄化槽等があり、そこに生息する害虫が対象となる。家屋内においてはハエ、カ、ゴキブリ、屋内塵性ダニ及び迷入して来る不快害虫、タンス内においてはイガ、コイガ、カツオブシムシ等の衣類害虫、ビニルハウス内においてはそこで栽培されている作物に影響を与える害虫、畜鶏舎内においてはヌカカ、ハエ、カ及びダニ類、そして浄化槽内ではチョウバエ、カ等が例示される。
【００２４】
本発明の揮散性薬剤の拡散方法に使用する薬剤の拡散用材の形状としては、その駆動のさい揮散性薬剤を良く拡散するような形状ならばどのようなものでもよく、少なくとも駆動によって該材の周囲の空気を攪乱するか、あるいは空気の境界層を攪乱して薬剤の拡散を助長する作用をするものならばよい。これらの形状のうち、空気を攪乱する作用が大きいものとしては送風機のブレードを有するもの、例えばファンのようなものがあり、これらを用いるのが好ましいが、駆動手段として回転を用いるときには空気を攪乱する作用を有するという意味で、送風作用がない円板の形状のものでもよい。また、駆動手段として振動を用いるときには、拡散用材の形状は振動しさえすればよいから、平板でもまたシート状体であってもよい。これらの形状の中では、送風作用を有する点でファンが最も好ましい。以下、ファンについて詳しく説明する。
【００２５】
ファンの形状としては、スクリュー状、あるいはプロペラ状に限らず、平板、水車型、ロータリーファン型などがある。大きな送風作用を行なわせる場合にはスクリュー状あるいはプロペラ状などが良く、送風により揮散量を大きくできる利点があるが、送風作用を伴う必要がないときには、周囲に空気流を生ずる程度の回転ができる円板などでもよい。ファンの形状に関しては、ファンへの薬剤の保持方法に応じても変るが、その薬剤の保持方法については後述する。例えば、ファン内部を空洞内に薬剤を入れる方式を取る場合には、その空洞を形成しうるような形状とする。
【００２６】
また、ファンに接触する空気量を増大させるために、ファンを形成する各ブレードに開口部を設けることができる。例えば、ブレードに多数の開口部を設けることにより薬剤を効率的に蒸散することができる。その開口部の形状としては、網目状の外に、格子状、ハニカム状等、種々の形を取ることができ、その開口部はなるべく均一に設けることが好ましい。ファンを構成するブレードの形状は、前記したファンの形状によって決まるが、単なる板状でなく、中空状のものでもよい。ブレードの厚さは、それを構成する材料が揮散性薬剤を含有するものであるときには、十分な揮散量を与えうる程度の保持量を有する厚さを有すればよいが、あまり厚くても薬剤が表面まで拡散してこないので、無駄となるから、適切な厚みを選択する。ファンを構成する各ブレードは、重量、空気抵抗がなるべく同じようにして、回転中のバランスが取れるようにするのが好ましい。
【００２７】
ファンがブレードを有する形状のものである場合には、後述する揮散性薬剤の保持方式の関係でブレード自体が着脱自在の構造のものであってもよい。本発明で用いるファンの一形式であるロータリーファン型の１例を図１〜３に示す。図１は、揮散性薬剤を薄い袋に収容した薬剤袋７を保持したロータリーファン型の薬剤拡散用ファン（拡散用材）１の斜視図であり、図２は前記ファンの平面図であり、図３は図１のファン本体の組立て前の斜視図である。
【００２８】
図１のファンの本体は、図３からわかるようにブレード部２と駆動装着部３とからなり、ブレード部２は多数の垂直なブレード５を有し、各ブレード５の間は開いていて開口部６を形成している。駆動装着部３は、図３に示すように中央に台部８を有し、また下部にはモーター（図示せず）に連結する軸部４を有しており、前記台部８はその直径がブレード部２の内径と僅かに小さいものとされ、それにブレード部２を嵌合して支持されるように構成されている。しかも、その両者の間隙は、図１に示すようにブレード部２の内周側に薄い薬剤袋７を添設して、そのブレード部２を台部８に嵌合したときに、薬剤袋７の下端が両者の間隙で挟持されることにより支持できるようにする。その支持された状態の薬剤拡散用ファンは、図２の平面図に示すとおりであって、薬剤袋７はブレード２の内周側に沿って設けられている。このため、薬剤袋７の大きさはブレード部２の内周の長さ及び高さとほぼ等しいものであることが好ましい。薬剤袋の材質は、内部の揮散性薬剤がその袋を通して容易に揮散するようなものとする。
【００２９】
図１〜３に示す薬剤拡散用ファン１においては、ブレード部２として図示のような、例えば合成樹脂で一体成型したような形状のものを用いているが、このブレード部２は組立て式のものであってもよく、その一例として図４に示すように、比較的柔軟性がある材質でつくられた、長方形のもので、両端に留め具９とフック１０とを設けて構成されたブレード部２を、駆動装着部３の台部８の周囲に巻きつけ、留め具９にフック１０を掛けて、円形のブレード部２を形成するようにしてもよい。
【００３０】
図１〜２に示す薬剤拡散用ファン１を、モーターの回転を軸部４に伝えることにより回転させると、ブレード部２のブレード５によって風が生じ、薬剤袋７の表面に出てきた揮散性薬剤をよく拡散させる。ブレード部２におけるブレード５の形状及び配置はその拡散をよくするために種々の形状を取ることができる。
ここで説明した図１〜４の薬剤拡散用ファンはあくまでも１例であって、薬剤を収納した袋ではなく、薬剤を含有するシートでもよく、薬剤を容器内に納めたものでもよいし、またもっと簡単に薬剤を含有する合成樹脂でブレードを形成したものでもよいが、取扱上の危険性を減らすために取付け時に、薬剤を含有する部分に直接手を触れないですむ形状あるいは構造のものであることが望ましい。
【００３１】
実際の使用についてみると、通常の家屋の居室程度の空間に対してはかなり小型の送風機を使用すれば十分足りるものであって、ファンの回転数としては３００ｒｐｍ以上好ましくは、５００〜１０，０００ｒｐｍ程度で用いるのがよい。前記ファンの駆動手段としてはモーター、ゼンマイなどを用いることができる。上記の居室程度の空間に対しては乾電池などで動く小型モーターにより駆動する程度のファンを使用しても十分効果を奏する。
【００３２】
揮散性薬剤をファンに保持させる手段としては、種々の手段があり、大別して（１）ファンに直接保持させる方式、（２）ファンに間接的に保持させる方式がある。
（１）の方式では、（ａ）ファン自体を揮散性薬剤を混和した吸油性材料（例えば樹脂）によって構成する、（ｂ）ファン全体又はその表面に近い内部層を多孔性の吸油性材料で構成し、その多孔性吸油性材料部分に揮散性薬剤を含浸させたものとするなどの、ファン内部に保持させる手段などを取ることができ、また（ｃ）ファン表面に揮散性薬剤を含有する液体を塗布する、などのファン表面に保持させる手段を取ることができる。
【００３３】
（２）の方式では、（ａ）ファン自体に揮散性薬剤を封入したものを挟持させたり、収納させる、（ｂ）ファンの表面に揮散性薬剤を含有する、又は含浸させた吸油性材料片を支持させる、（ｃ）ファンの表面に揮散性薬剤を封入したものを固定するなどの手段を取ることができる。
上記のようにしてファンに保持させた揮散性薬剤が消費し終ったならば、継続的に使用するためには揮散性薬剤を補給する必要があるが、（１）の方式のうち、（ａ）ではファンそのものを交換し、（ｂ）及び（ｃ）の含浸型では揮散性薬剤を溶液による含浸によって補給してやればよい。（２）の方式では、（ａ），（ｃ）とも揮散性薬剤を封入したものを取換えればよく、（ｂ）では前記吸油性材料片を取り換えればよい。
【００３４】
また、これらの方式の改変としては、ファンのブレードのみを揮散性薬剤を混和した吸油性材料で構成し、取り換えるようにしてもよい。（２）の方式では、揮散性薬剤を封入したものとしては、揮散性薬剤又はその溶液を少なくともガス透過性フィルムからなる膜部を有する容器、又は通気しうる微小孔を有する容器に封入したものを用いるのが好ましい。これら容器としては形状がファン表面に保持されるのが容易であるものが好ましく、例えば扁平なものなどが挙げられるが、他の形状のものでもよい。揮散性薬剤を含有する、又は含浸させた吸油性材料片としては板状、シート状その他の形状するのがよい。
【００３５】
この揮散性薬剤を封入するためのガス透過性フィルムとしては、エチレン酢酸ビニル重合体〔商品名Ｄ２０２１（酢酸ビニル  １０ｗｔ％のもの）、Ｈ２０２０（酢酸ビニル  １５ｗｔ％のもの）、Ｋ２０１３（酢酸ビニル  ２５ｗｔ％のもの）、Ｄ２０１１（酢酸ビニル  ５ｗｔ％のもの）（いずれも住友化学工業社製）〕、ポリジメチルシロキサン、天然ゴム、ポリブタジエン、エチルセルロース、ポリクロロプレンなどが挙げられ、これらの多層フィルムも用いられる。このフィルムの厚さは、その中に封入した揮散性薬剤がそのフィルムを通って有効な量を通すが、過剰な量は通さないような徐放性の作用を有する程度のものとする。ただし、揮散性薬剤が洩れないような充分な強度を有するものでなければならない。その厚さは、具体的にはエチレン−酢酸ビニル重合体フィルムの場合例えば１００μｍであるが、それよりも薄くても、また厚くてもよい。
【００３６】
上記吸油性材料としては、例えばパルプ、布、天然繊維（例えば脱脂綿）、スポンジ、無機質粉、磁器、陶器、活性炭、ガラスウール、石綿、アクリル系親油性重合体（協和ガス化学（株）製）、アクリル系高吸油性樹脂ＫＸ−ＯＡ  １００〜６００（日本触媒（株）製）、ポリプロピレン繊維（登録商標テイジンオルソープ、ユニセル（株）製）、ポリプロピレン繊維不織布（登録商標タフネスオイルブロッター、三井石油化学工業（株）製）、特殊線状ポリマー（登録商標ウオセップ、東レ（株）製）等を１種若しくは２種以上組合せたものを挙げることができる。上記の材料のうち上記の方式に適したものを選択して使用すればよい。
【００３７】
上記（１）方式の（ａ）ではファンを構成する吸油性材料（例えば樹脂）中、揮散性薬剤を１００〜５００ｍｇ／ｇの範囲で含有させるのが好ましい。（ｂ）及び（ｃ）ではファンの表面積当りで好適な使用量を設定する。
上記（２）方式の（ａ），（ｃ）では、封入する方式なので、揮散性薬剤をそのまま用いる場合には、その使用量は特に制限を受けないが、揮散性薬剤を吸油性材料に含有させ、あるいは含浸させたものを支持させる場合、つまり（ｂ）の場合には、その含有量などは前記の（１）方式の場合と同様とする。
【００３８】
また、ファンに保持させる揮散性薬剤が常温で揮散し難いものであって、その揮散量を多くしたいときには、送風機の空気導入路に加熱器を置いてファンと接触する空気を予熱するとか、ファンのそばに加熱器を置いてファンの面を加熱するなどの手段を採用することができる。その加熱温度は常温より２０〜１００℃、あるいはそれ以上上昇させる程度で十分な効果がある。エムペンスリン、ベンフルスリンのように揮散性の強い薬剤の場合には２０〜３０℃程度の上昇でも効果があるが、常温揮散性の低い薬剤の場合にはこの程度の上昇では効果がないため、もう少し上昇させることが必要である。
【００３９】
更に、この場合ファンの一部に熱伝導性物質、例えばアルミニウム粉、鉄粉等を添加することにより、ファンの温度が短時間で上昇し、初期の揮散量を多くすることができる。
また、本発明は、拡散用材を駆動するのに、回転ではなく、振動やその他の方式を通用することができ、その振動としては、例えばバイブレーターとか電歪素子を用いた振動器、ピエゾファンを用いることができる。
【００４０】
送風機により風を揮散性薬剤を保持した担体に当てて揮散させる従来技術では、風速などが物質移動速度を決めるもので、その風速もさほど大きくなく、風量も全部が担体に有効に作用するものではなかったが、本発明では前記薬剤が直接又は間接的に拡散用材、例えばファン等に保持されており、このファンは回転速度を大きくすることができるので、空気との接触速度が従来技術より著しく大きく、また広いファンの表面が利用することができるから、物質移動速度、ひいては物質移動量を著しく大きくすることができる。このため、本発明では前記薬剤の拡散量を大きくすることができ、きわめて効率よく拡散させることができる。
【００４１】
また、そのさい前述したように加熱条件下で行えば拡散量を十分大きくすることができる。
【実施例】
【００４２】
以下、実施例により本発明を具体的に説明する。ただし、本発明はこれらの実施例のみに限定されるものではない。
実施例１
単２アルカリ乾電池で駆動するモーター（回転数２１００ｒｐｍ）の回転軸に直径２．５ｃｍ４枚羽のファンを取付けた送風機を構成した。
このファンとして、表１及び表２に記載された薬剤を有し、かつそのファン自体若しくはファンに保持させるための基材の種類を有するものを作成した。
【００４３】
【表１】
2005102700.tif 000003
【００４４】
【表２】
2005102700.tif 000004
【００４５】
注）１．表１〜２中、保持方法の「練込」「貼着」については、以下のことを意味するものである。「練込」とは、ファンを構成している素材自体に有効成分を常法により練込み成型することをいう。「貼着」とは、有効成分が保持された基材をファンに貼着することをいう。
２．薬剤有効成分の添加量を表わす「重量部：ｗ／ｗ％」は、ファン又は基材中に含まれる有効成分の重量％を示す。
【００４６】
実施例２
本発明のファンとして、ポリ塩化ビニル樹脂１．４ｇ中にエムペンスリンを１０ｗｔ％練り込んだものから成型した４枚羽（直径２．５ｃｍ）のものを用いて、昆虫に対する活性試験を行った。
（昆虫に対する殺虫活性試験）
容積が０．０１２ｍ3 のガラス製円筒型水槽（内径２３ｃｍ、高さ２８．６ｃｍ）で、底に水約５０ｍｌを含浸させた綿を置き、ホシチョウバエ成虫約５０頭を供試し、その空間の側面（上から５ｃｍ）に本発明のファンを有する送風機を装着し、これをそれに連結するモーターにより２１００ｒｐｍで回転できるようにし、これを回転させて、薬剤を拡散させた。ただし、上記水槽の開口部をポリ塩化ビニリデンシートで覆って密閉空間とする。
【００４７】
この試験における薬剤の揮散・拡散性の違いは、空間内に供試したホシチョウバエ成虫のノックダウン時間の差によって評価した。
また、対照として、薬剤を保持したファン（重量同じ）を空間中央に吊り下げただけのものを使用した。比較としては、ポリ塩化ビニル樹脂１．４ｇ中にエムペンスリンを１０ｗｔ％練り込んだものから成形した板状体を前記空間の側面の近くに吊り下げ、本発明のファンと同一形状のポリ塩化ビニル樹脂製のファンを本発明のファンと同一位置に置き、２１００ｒｐｍで回転させ、その送風を前記板状体に当てるようにした。
【００４８】
その試験結果を表３に示す。
【００４９】
【表３】
2005102700.tif 000005
【００５０】
上記表３から明らかなように、本発明によれば揮散性薬剤をファンに直接保持させたことによって、ホシチョウバエのノックダウン時間がかなり短縮されており、薬剤の空間内への揮散、拡散性が促進されていることがわかる。
【００５１】
実施例３
エチレン−メチルメタクリレート共重合体樹脂（以下「ＥＭＭＡ樹脂」という）は可塑材フタル酸ジメチル及びエムペンスリンを練合してシート状に成型し、このシートを切断してエムペンスリン含有ＥＭＭＡ樹脂プレートを製造する。この樹脂プレートのエムペンスリン当初含有率は９．６１７５ｗ／ｗ％であった。上記プレート４枚をファンの中心となる部材にブレード（羽根、厚み１ｍｍ）として取り付けて拡散用材であるファン（直径４．６ｃｍ）を作成した。このブレード部分の重量は合計で１．７９７３ｇであった。
【００５２】
このファンを回転数８，５００ｒｐｍの高回転型モーターにより３０日間回転させた後、アセトンにて１日抽出し、ガスクロマトカラムにてエムペンスリンを定量したところ総揮散量は２１．９ｍｇであった。
また、このファンを回転数２，１３０ｒｐｍの低回転型モーターで回転させたときには、エムペンスリンの総揮散量は約１５．９ｍｇであった。
このファンを乾電池で動かす４００〜８００ｒｐｍのような微速モーターにより駆動させれば、エムペンスリンの揮散量はもっと少ないので、この場合長時間の使用に適する。
【００５３】
実施例４
本発明のファンとしてＥＭＭＡ樹脂１０ｇ中にエムペンスリンを１０ｗｔ％練り込んだものから成型した４枚羽根（厚さ２ｍｍ）、直径８．０ｃｍのものを用いた。
（アカイエカに対する殺虫活性試験）
容積２２．５ｍ3 （３×３×２．５ｍ）の網にて区切られた空間で犬小屋（６０×７２×９０ｃｍ）を置き、該犬小屋内に中型の雑種犬を入れ、アカイエカが浸入できる金網を入口に取り付けた。そして、犬小屋天面に実施例４で得た本発明のファンを有する送風機を下向きに装着し、該ファンを約２，０００ｐｍで回転させ、連続的に薬剤を拡散させた。該空間内に供試虫雌を１７時より翌日の９時まで放置した後、全供試虫を回収して吸血固体数を求め、それを０，５，１１，１５日経過後に行った。その結果を表４に示す。また、対照としては、薬剤処理していないポリ塩化ビニル樹脂製の同型のファンを約２０００ｒｐｍで回転させた。
【００５４】
【表４】
2005102700.tif 000006
【００５５】
実施例５
容積約０．１５ｍ3 （５０×５５×５５ｃｍ）のタンス内の底面中央部に綿布１０×１０ｃｍを重ねて置き、その内にイガ３令幼虫１０頭を放ち、その上部天面にＮｏ．２ろ紙（アドバンテック東洋社製）に総量で約１６．５ｍｇのエムペンスリンを溶解したアセトン溶液を含浸し、８枚の羽根に貼着したファン（直径９ｃｍ）を有する送風機を下向きに装着し、それに連結するモーターにより約２０００ｒｐｍで回転できるようにし、これを回転させて薬剤を拡散し、室温で４４時間後の仰天数及び致死数を測定した。また、対照として総量で約４９０ｍｇのエンペンスリンを含浸したＮｏ．２ろ紙を送風機と同じ位置に設置して同様に測定した。その結果を表５に示す。
【００５６】
【表５】
2005102700.tif 000007
【００５７】
実施例６
表６及び表７に示す種類の供試フィルム（４×１０ｃｍ）を２つ折りしたものの間に約１．０〜２．０ｇの揮散性薬剤及び必要に応じ０．０８〜０．４ｇの吸油材（いずれも表６及び表７に示す）を入れ、周囲をヒートシールした揮散性薬剤封入体を作製し、これらの封入体をモーターに付設された図１記載の形状で内径３．３ｃｍ、外径４．７ｃｍ、高さ２．２ｃｍ、そして重量５．３ｇであるファン内部に沿って円柱状に装着し、表６及び表７に示す本発明の薬剤拡散用材を得た。なお、表中のフィルム「Ｄ２０２１」などは前述したエチレン酢酸ビニル重合体である。
【００５８】
【表６】
2005102700.tif 000008
【００５９】
【表７】
2005102700.tif 000009
【００６０】
試験例１
上記実施例６の試料Ｎｏ．１〜１０を使用し、表６及び表７に併記したモーターで上記試料のものを駆動させて、経時的に揮散性薬剤封入体の重量測定を行ない、その重量減少量をエムペンスリン揮散量とした。得られた測定結果を図３ないし図５に示す。なお、前記のモーターは単一乾電池により駆動するものを用いており、各図においてＦとあるのは単一乾電池の電圧低下に伴うモーターの出力低下であり、Ｓとあるのは前記乾電池の消耗に伴うモーターの停止時を示し、Ｃとあるのは前記乾電池の交換時を示す。
【００６１】
図５〜７において縦軸は封入体重量、横軸は駆動日数を示す。図５において、黒丸は試料Ｎｏ．１、「○」は試料Ｎｏ．２の封入体重量の変化を示し、図６において、黒丸は試料Ｎｏ．３、「○」は試料Ｎｏ．１０の封入体重量の変化を示し、そして図７において、「□」は試料Ｎｏ．５、黒丸は試料Ｎｏ．６、「○」は試料Ｎｏ．７、黒四角は試料Ｎｏ．８、及び「△」は試料Ｎｏ．９の封入体重量の変化を示す。
【００６２】
試験例２
［屋外犬小屋での蚊（アカイエカ、ヒトスジシスカ）に対する効力試験］
通風状態にしたガラス温室（縦３．５ｍ、横２．５ｍ、高さ３ｍ）内に中型の雑種犬を入れた木製のゲージを置き、ガラス温室内に供試虫（アカイエカ、ヒトスジシスカ）を放し、エムペンスリンを含有する供試ファンを供試虫を放す約２〜３時間前から犬小屋内の天井部に設置した。ただし、雑種犬は犬小屋は閉じ込めた状態とし、犬小屋入口は蚊が自由に通り抜けられるように金網を張った。
【００６３】
アカイエカの場合は夕方５〜６時頃放飼し、翌朝９時頃全固体を回収し吸血率を調べた。また、ヒトスジシスカの場合は日中試験を行い、放飼して４時間後に全固体を回収し、吸血率を調べた。
測定結果は表８に示す。この表８によれば、本発明方法はきわめて高い防除効果を有することが明らかである。
【００６４】
【表８】
2005102700.tif 000010
【図面の簡単な説明】
【００６５】
【図１】本発明の薬剤拡散用材の１実施例であるロータリーファン型の薬剤拡散用ファンの斜視図を示す。
【図２】図１の薬剤拡散用ファンの平面図を示す。
【図３】図１の薬剤拡散用ファンの組立て前の各要素の斜視図を示す。
【図４】図１の薬剤拡散用ファンに用いられる組立式ブレード部の斜視図を示す。
【図５】本発明の実施例６の薬剤拡散用材を試験したさいの経時的な封入体重量変化を表わすグラフを示す。
【図６】本発明の実施例６の薬剤拡散用材の別のものを試験したさいの経時的な封入体重量変化を表わすグラフを示す。
【図７】本発明の実施例６の薬剤拡散用材の他のものを試験したさいの経時的な封入体重量変化を表わすグラフを示す。
【符号の説明】
【００６６】
１    薬剤拡散用ファン
２    ブレード部
３    駆動装着部
４    軸部
５    ブレード
６    開口部
７    薬剤袋
８    台部
９    留め具
１０    フック
【図１】
2005102700.tif 000011
【図２】
2005102700.tif 000012
【図３】
2005102700.tif 000013
【図４】
2005102700.tif 000014
【図５】
2005102700.tif 000015
【図６】
2005102700.tif 000016
【図７】
2005102700.tif 000017